(57)【特許請求の範囲】
【請求項１】
制御部、記憶部及び通信部を有して構成され、外部端末から送信されたヘッダ領域及びボディ領域で構成された命令を受信し、この命令を解釈、実行してその結果を応答として前記外部端末に送信するＩＣカードにおいて、
前記通信部は、
前記外部端末から受信した命令を前記記憶部に記憶し、
前記制御部は、
前記記憶部に記憶された前記ボディ領域内の命令データ部に、メモリ領域を示すレコードファイルＩＤとそのレコードファイルＩＤ内のレコードを指定するためのレコード番号との対が複数指定されている場合、当該指定された複数のレコードファイルＩＤと対になるレコード番号のデータを前記記憶部に設けられた送信バッファに設定し、
前記通信部は、
前記送信バッファに設定されたデータを前記外部端末に送信するＩＣカード。
【請求項２】
前記制御部はまた、
前記記憶部に記憶された前記ボディ領域内の命令データ部に、メモリ領域を示すレコードファイルＩＤとそのレコードファイルＩＤ内のレコードを指定するためのレコード番号との対が複数指定されている場合、当該指定されたレコードファイルＩＤ及びその対になるレコード番号のそれぞれを検索対象として検索した結果、当該指定された複数のレコードファイルＩＤ又は当該レコードファイルＩＤと対になるレコード番号によって指定されたレコードのいずれかが存在しない場合、異常発生と判断し、異常発生時点で検索を終了して異常を示すステータスを返信する請求項１記載のＩＣカード。
【請求項３】
前記制御部はさらに、
前記記憶部に記憶された前記ボディ領域内の命令データ部に、メモリ領域を示すレコードファイルＩＤとそのレコードファイルＩＤ内のレコードを指定するためのレコード番号との対が複数指定されている場合、当該命令の処理結果として前記レコードファイルＩＤとそのレコードファイルＩＤ内のレコードを指定するためのレコード番号のそれぞれに対する処理結果を連結して、当該外部端末に送信するとき、各レコードファイルＩＤとレコード番号をタグとして応答の先頭にセットして送信する請求項１又は請求項２記載のＩＣカード。
【発明の詳細な説明】
【技術分野】
【０００１】
本発明の実施形態は、一括読出し可能なＩＣカードに関する。
【背景技術】
【０００２】
ＩＣカードは、ＩＣカードリーダ・ライタ（Ｒ／Ｗ）を備えた端末上のアプリケーション、あるいは、この端末とネットワーク接続されたサーバ又は端末上のアプリケーションによって、外部端末からアクセスされる。外部端末からＩＣカード内の複数のレコードＥＦ（エレメンタリファイル）ＩＤ内レコードを読み出す場合、現状では、ＩＣカードリーダ・ライタ（Ｒ／Ｗ）がレコードＥＦ−ＩＤと、そのＩＤ内のレコード番号を指定し、ＩＣカードはＩＣカードリーダ・ライタからの命令を解釈し、指定ＩＤ内のレコード番号で指定されたレコードを読み出す、という処理を繰り返す。
【０００３】
なお、上記レコードＥＦ（Elementary File:エレメンタリファイル）とは、ISO/IEC 7816-4で規定されているデータを格納するファイルである。
【０００４】
図６は、従来の偶数INS READ RECORD命令の命令形式及び応答形式の一例である。図７は、ＩＣカードリーダ・ライタ（Ｒ／Ｗ）から送信された偶数INS READ RECORD命令に対するＩＣカードのファイルアクセス処理を示すフローチャートである。図８は、ＩＣカードとＩＣカードリーダ・ライタとの通信処理を説明する図である。以下、これらの図を参照して従来のＩＣカードのファイルアクセス処理を説明する。
【０００５】
まず、ＩＣカードにおける従来のファイルアクセス方法において、２つのレコードＥＦ−ＩＤ(EF#1, EF#2)からそれぞれのレコード(record#1(EF#1),record#2(EF#2))を読み出す例を記述する。
【０００６】
まず、図６に従来の偶数INS READ RECORD命令の命令形式を示す。図６（１）は、従来の偶数INS READ RECORD命令形式である。この命令形式は、CLA/INS/P1/P2/ Le  で構成されている。Ｐ１では、Ｐ２で指定されるレコードＥＦのレコード番号を指定し、Ｐ２で短縮ＥＦ−ＩＤを指定する。図６（２）は、図６（１）に示す偶数INS READ RECORD命令に対するＩＣカードからＲ／Ｗに対する応答形式である。なお、上記「応答」を表現上の誤解を防ぐため「応答メッセージ」と表記する場合もある。
【０００７】
２つのレコードＥＦ−ＩＤ(ＥＦ＃１、ＥＦ＃２)からそれぞれ指定したレコード番号のレコード(record#1(EF#1), record#2(EF#2))を読み出す場合、図６（１）で示す命令をＲ／ＷがＩＣカードに送信し、図６（２）で示す令処理結果を応答メッセージとしてＩＣカードがＲ／Ｗ返送する。図示した例は、２つのレコードを読み出すために図６（１）及び図６（３）に示す偶数INS READ RECORD命令を送信し、図６（２）及び図６（４）に示す命令処理結果を応答メッセージとして返送している。
【０００８】
図７は、Ｒ／Ｗから送信された偶数INS READ RECORD命令に対するＩＣカードの従来のファイルアクセス処理を示すフローチャートである。また、図８は、ＩＣカードとＲ／Ｗとの通信処理を示すフローチャートで、READ RECORD 命令が２個連続した場合の処理を示すフローチャートである。以下、これらの図を参照して従来のファイルアクセス処理を説明する。
【０００９】
（１）Ｒ／ＷからREAD RECORD命令送信
Ｒ／ＷがＩＣカードに、READ RECORD 命令のＰ１−Ｐ２でレコードＥＦ＃１のレコード＃１を指定したREAD RECORD 命令 (READ RECORD record#1(EF#1))を送信する。
【００１０】
（２）ＩＣカードREAD RECORD命令受信
ＩＣカードがＲ／Ｗから、READ RECORD 命令のＰ１−Ｐ２でレコードＥＦ＃１のレコード＃１を指定したREAD RECORD 命令 (READ RECORD record#1(EF#1))を受信する。
【００１１】
（３）ＩＣカードREAD RECORD命令処理
ＩＣカードは、READ RECORD 命令 (READ RECORD record#1(EF#1))のＰ２で指定されているレコードＥＦ＃１のＰ１で指定されているレコード＃１を検索する（Ｓ２０−Ｓ２１）。レコードＥＦ＃１が存在しなければ（Ｓ２４のＮｏ）命令処理結果に応じたＳＷ(異常)を送信バッファにセットし（Ｓ２８）、Ｒ／Ｗに送信し（Ｓ２９）、レコードＥＦ＃１内のレコード＃１が存在しなければ（S２６のＮｏ）、命令処理結果に応じたＳＷ(異常)を送信バッファにセットし（Ｓ２８）、Ｒ／Ｗに送信する（Ｓ２９）。
【００１２】
（４）ＩＣカードレスポンス送信処理
ＩＣカードは、レコード＃１のレコードデータ、ＳＷ(正常)を送信バッファにセットし（Ｓ２７）、READ RECORD 命令(READ RECORD record#1(EF#1))処理結果を送信する（Ｓ２９）。
【００１３】
（５）Ｒ／ＷからREAD RECORD命令送信
Ｒ／ＷがＩＣカードに、READ RECORD 命令のＰ１−Ｐ２でレコードＥＦ−ＩＤ＃２（レコードＥＦ＃２と記述する）のレコード＃２を指定したREAD RECORD 命令 (READ RECORD record#2(EF#2))を送信する。
【００１４】
（６）ＩＣカードREAD RECORD命令受信
ＩＣカードがＲ／Ｗから、READ RECORD 命令のＰ１−Ｐ２でレコードＥＦ＃２のレコード＃２を指定したREAD RECORD 命令 (READ RECORD record#2(EF#2))を受信する。
【００１５】
（７）ＩＣカードREAD RECORD命令処理
ＩＣカードは、READ RECORD 命令 (READ RECORD record#2(EF#2))のＰ２で指定されているレコードＥＦ＃２のＰ１で指定されているレコード＃２を検索する。レコードＥＦ＃２が存在しなければ（Ｓ２４のＮｏ）、命令処理結果に応じたＳＷ(異常)を送信バッファにセットし（Ｓ２８）、Ｒ／Ｗに送信し（Ｓ２９）、レコードＥＦ＃２内のレコード＃２が存在しなければ（Ｓ２６のＮｏ）、命令処理結果に応じたＳＷ(異常)を送信バッファにセットし（S２８）、Ｒ／Ｗに送信する（Ｓ２９）。
【００１６】
（８）ＩＣカードレスポンス送信処理
ＩＣカードは、レコード＃２のレコードデータ、ＳＷ(正常)を送信バッファにセットし（Ｓ２７）、READ RECORD 命令(READ RECORD record#2(EF#2))処理結果を送信する（Ｓ２９）。
【００１７】
（９）Ｒ／ＷからREAD RECORD命令送信
Ｒ／ＷがＩＣカードに、READ RECORD 命令のＰ１−Ｐ２でレコードＥＦ＃２のレコード＃２を指定したREAD RECORD 命令 (READ RECORD record#2(EF#2))を送信する。
【００１８】
（１０）上記（２）から（８）に示す処理を行う。この処理によってレコード＃１及びレコード＃２のデータがＩＣカードからＲ／Ｗに送信される。
【００１９】
なお、一回に送信可能なデータ量の最大値を規定しないことにより、読み出すデータの量が多くても読み出しにおけるコマンド／レスポンス処理が一回で済む方法が知られている（例えば、特許文献１参照。）。
【先行技術文献】
【特許文献】
【００２０】
【特許文献１】特開２００７−１２２４５１号公報
【発明の概要】
【発明が解決しようとする課題】
【００２１】
しかしながら、上述した従来の技術では、複数のレコードＥＦ−ＩＤから複数のレコードを読み出す場合、ＩＣカードリーダ・ライタ（Ｒ／Ｗ）がレコードＥＦ−ＩＤとそのＩＤ内のレコード番号を指定し、ＩＣカードはＲ／Ｗからの命令を解釈し、指定ＩＤ内の指定レコードを読み出す処理を繰り返す。これにより、Ｒ／Ｗからの命令をＩＣカードが解釈する回数が増え、ＩＣカードのファイルアクセスにおける処理時間が増えるという課題があった。なお、特許文献１記載の方法は、大量データの送受信を行うため通信状態が安定にできる領域での使用が推奨されている。
【００２２】
本発明は、上述した課題を解決するためになされたもので、ＩＣカードの記憶部に記憶された異なるレコードＥＦ−ＩＤ内の異なるレコードを、一括読出すことにより、ＩＣカードのファイルアクセスにおける全体の処理時間を短縮することができるＩＣカードを提供することを目的とする。
【課題を解決するための手段】
【００２３】
上記目的を達成するために、本発明の請求項１記載のＩＣカードは、制御部、記憶部及び通信部を有して構成され、外部端末から送信されたヘッダ領域及びボディ領域で構成された命令を受信し、この命令を解釈、実行してその結果を応答として前記外部端末に送信するＩＣカードにおいて、前記通信部は、前記外部端末から受信した命令を前記記憶部に記憶し、前記制御部は、前記記憶部に記憶された前記ボディ領域内の命令データ部に、メモリ領域を示すレコードファイルＩＤとそのレコードファイルＩＤ内のレコードを指定するためのレコード番号との対が複数指定されている場合、当該指定された複数のレコードファイルＩＤと対になるレコード番号のデータを前記記憶部に設けられた送信バッファに設定し、前記通信部は、前記送信バッファに設定されたデータを前記外部端末に送信する。
【図面の簡単な説明】
【００２４】
【図１】実施例１に係るＩＣカードの概略構成図
【図２】実施例１に係るＩＣカードリーダ・ライタとＩＣカード間の通信プロトコルの一例
【図３】実施例１に係るREAD RECORD命令形式とレスポンス形式
【図４】ＩＣカードリーダ・ライタから送信された偶数INS READ RECORD命令に対するＩＣカードのファイルアクセス処理を示すフローチャート
【図５】実施例１に係るＩＣカードとＩＣカードリーダ・ライタとの通信処理を示すフローチャート
【図６】従来の偶数INS READ RECORD命令の命令形式及び応答形式の一例
【図７】Ｒ／Ｗから送信された偶数INS READ RECORD命令に対するＩＣカードの従来のファイルアクセス処理を示すフローチャート
【図８】ＩＣカードとＲ／Ｗとの従来の通信処理を示すフローチャート
【発明を実施するための形態】
【００２５】
本実施例に係るＩＣカードは、制御部、記憶部及び通信部を有して構成される。制御部としてＣＰＵ（Central Processing Unit:中央処理装置）が配置される。また、記憶部としてＲＯＭ(Read Only Memory:読み取り専用メモリ)、ＲＡＭ（Random Access Memory:揮発性メモリ）及びＮＶＭ（Non-volatile memory:不揮発性メモリ）が配置される。通信部は、ＩＣカード１０内に設けられた外部端子を介してＩＣカードリーダ・ライタ（端末）２０と通信を行う。
【００２６】
以下、ＩＣカード１０とＩＣカードリーダ・ライタ２０との通信において、一括読み出しできるＩＣカードのファイルアクセス処理機能を、以下図面を参照して説明する。
【実施例１】
【００２７】
図１は、実施例１に係るＩＣカードの概略構成図である。ＩＣカード１０は、制御部及び通信部で構成される。
【００２８】
制御部はＣＰＵ１１を有し、記憶部はＲＯＭ１３、ＲＡＭ１４及びＮＶＭ１５を有して構成される。ＲＯＭ１３及びＮＶＭ１５は、当該ＣＰＵ１１を動作するためのプログラムが実装される。
【００２９】
通信部１２は、接触端子を介した接触式ＩＣカード（以下。ＩＣカードと称する。）１０とＩＣカードリーダ・ライタ（端末）２０との間の通信を行う。
【００３０】
図２は、実施例１に係るＩＣカードリーダ・ライタ２０とＩＣカード１０間の通信プロトコルの一例である。ＩＣカード１０とＩＣカードリーダ・ライタ２０との間の通信で用いられるプロトコルには国際規格があり、通常は、この国際規格に基づくプロトコルに応じて送受信が行われる。本実施例で用いられるプロトコルは、ＩＳＯ／ＩＥＣ  ７８１６に準拠している。このプロトコルは、ＩＣカード１０とＩＣカードリーダ・ライタ２０間の基本命令、ファイル構造及びセキュリティの基本構造を規定している。
【００３１】
図２（１）は、本実施例に用いられるＩＣカードリーダ・ライタ（端末）２０からＩＣカード１０に対する命令形式（コマンドフォーマット）である。
【００３２】
命令部分はＣＬＡ、ＩＮＳ、Ｐ１及びＰ２からなる４バイトのヘッダ領域で構成され、ＩＣカード１０に対する命令を構成する。
【００３３】
ＩＮＳ：具体的な命令内容を示す。
【００３４】
Ｌｃ、Data Field（命令データ部）及びＬｅは、送信するデータがある場合に用いられるボディ領域を構成するが、READ RECORD命令では、ＬＣ、Data FieldがなくてもＬｅは必要になる。
【００３５】
Ｌｃ：Data Fieldのサイズ
Data Field：Ｌｃで示されるサイズのデータ
Ｌｅ：レスポンスの最大サイズ
ＩＣカードからＩＣカードリーダ・ライタに対する応答時のデータサイズ
上述したボディ領域は、オプションであり、設定されない場合もあるが本実施例では使用している。なお、詳細は後述する。
【００３６】
図２（２）は、本実施例に用いられるＩＣカード１０からＩＣカードリーダ・ライタ２０に対するステータスフォーマットである。このフォーマットは、ステータスワードの前にレコードデータ領域からなるボディ領域を有する。このレコードデータのデータサイズは、図２（１）で示すＬｅで指定した値以下に設定される。
【００３７】
ＳＷ１、ＳＷ２：ステータスワードと呼ばれ、命令が成功したかを示す値と、命令が失敗した理由を示す値で構成される。その一例を下記に示す。
【００３８】
ＳＷ１  ＳＷ２
９０    ００・・・・・正常終了
６２    ００・・・・・照合不一致
６２    ８３・・・・・出力データに異常がある
図３は、実施例１に係るREAD RECORD 命令形式とレスポンス形式であり、図２に示す命令形式及びステータスフォーマットの詳細図である。
【００３９】
図３（１）は、本実施例の偶数INS READ RECORD命令の命令形式とレスポンス形式を示す。
【００４０】
上記命令形式を以下に示す。
【００４１】
[CLA][INS][P1][P2][DATA Field][Le]
ＩＮＳ：Ｂ２・・・・偶数INS READ RECORD、偶数命令になっている
Ｌｃ  ：０４・・・・Data Field  のデータサイズが４バイトであることを示す
Data Field
０１：レコード＃１（レコード番号１のこと）
下記、短縮ＥＦ−ＩＤ＃１で指定された最初のレコードＲＣ１１を示す（図３（３）参照）。
【００４２】
０１：短縮ＥＦ−ＩＤ＃１
短縮ＥＦ−ＩＤ＃１とは、図３（３）に示すメモリ領域（短縮ＥＦ−ＩＤ＃１）のことであり、このメモリ領域にはレコード＃１〜レコード＃ｎ個のレコードが存在する。
【００４３】
０２：レコード＃２
下記、短縮ＥＦ−ＩＤ＃２で指定された２番目のレコード（＃２）ＲＣ２２を示す（図３（３）参照）。
【００４４】
０２：短縮ＥＦ−ＩＤ＃２
短縮ＥＦ−ＩＤ＃２とは、図３（３）に示すメモリ領域（短縮ＥＦ−ＩＤ＃２）のことであり、このメモリ領域にはレコード＃１〜レコード＃ｎ（レコード番号ｎのこと）個のレコードが存在する。
【００４５】
Ｌｅ  ：００・・・・レスポンスの最大サイズ、００の場合、レスポンスサイズは制限なし。
【００４６】
本実施例では、Ｐ１、Ｐ２は使用せずにアクセスするレコードＥＦの短縮ＥＦ−ＩＤとその内部のレコード番号対は、すべて[Data Field]で指定する。
【００４７】
図３（２）は、本実施例の偶数INS READ RECORD命令に対するＩＣカードのレスポンスである。このレスポンスは、ISO/IEC 7816-3準拠のＲ−ＡＰＤＵ（Response Application Protocol Data Unit）で示され、下記にその形式を示す。
【００４８】
[(response)Data][SW1][SW2]
[(response)Data]の形式をTLV DATA objectにBER-TLVを使用して独自に規定した。
【００４９】
図３（３）は、上述した短縮ＥＦ−ＩＤに対するレコードを説明するメモリマップの構造である。すでに上記図３（１）のビット説明に合わせて説明した通りである。
【００５０】
なお、短縮ＥＦ−ＩＤの短縮とは、上記メモリマップ内ＥＦ−ＩＤの位置を説明する上で短縮した表現形式を用いていることを示す。
【００５１】
図３（１）の命令形式で指示した短縮ＥＦ−ＩＤとレコード番号対がその順番通りに読み出され、[(response)DATA]は、record#1(EF#1)とrecord#2(EF#2)の[Tag][Length][Value]が連結した[Tag][Length][Value(record#1(EF#1))][Tag][Length][Value(record#2(EF#2))]
からなる。なお、Ｔａｇは請求項に記載のタグに該当する。
【００５２】
２つのレコードＥＦ−ＩＤ（ＥＦ＃1，ＥＦ＃２）からそれぞれのレコード(record#1(EF#1)),record#2(EF#2))を読み出す場合、図３（１）で表わされる命令形式を用いてＩＣカードリーダ・ライタ２０がＩＣカード１０に送信し、図３（２）で表わされるレスポンス形式を用いてＩＣカード１０がＩＣカードリーダ・ライタ２０に命令の処理結果を送信（返送）する。
【００５３】
図４は、ＩＣカードリーダ・ライタ２０から送信された偶数INS READ RECORD命令に対するＩＣカードのファイルアクセス処理を示すフローチャートである。
【００５４】
最初に、READ RECORD 命令（READ RECORD read#1(EF#1)(1st), READ RECORD read#2(EF#2)(2nd)）を受信後、当該命令のＰ１、Ｐ２をチェックする（Ｓ０１）。
【００５５】
Ｐ１＝００かつＰ２＝ＦＦの場合（Ｓ０２のＹｅｓ）、READ RECORD 命令のＬｃをチェックする（Ｓ０３）。なお、ステップＳ０２でＰ１＝００かつＰ２＝ＦＦでない場合は、ステップＳ１４に移行し、命令処理に応じたＳＷ（異常）を送信バッファにセットし（Ｓ１４）、ステップＳ１５で当該ＳＷをＩＣカードリーダ・ライタ２０に送信する（Ｓ１５）。
【００５６】
上記Ｌｃ（Data Fieldのサイズ）が００でない場合（Ｓ０４のＹｅｓ）、連続実行制御カウンタにＬｃの値をセットする（Ｓ０５）。なお、Ｌｃが００の場合は、Data Fieldに検索対象のデータがないため、上述同様ステップＳ１４に移行し、命令処理に応じたＳＷ（異常）を送信バッファにセットし（Ｓ１４）、ステップＳ１５で当該ＳＷをＩＣカードリーダ・ライタ２０に送信する（Ｓ１５）。
【００５７】
上記Ｌｃに関し、図３（１）に示す実施例の場合を下記に示す。
【００５８】
Ｌｃ＝０４
検索対象に命令データ部からＥＦの識別子（ＥＦ＃1)とその内部のレコード対（レコード＃１）をセットする（Ｓ０６）。実施例の場合を下記に示す。
【００５９】
ＥＦの識別子（ＥＦ＃1)    ：０１・・・短縮ＥＦ−ＩＤ＃１
短縮ＥＦ（Element File）のＩＤ番号が１であることを示す。  
レコード対（レコード＃１）：０１・・・短縮ＥＦ−ＩＤ＃２
短縮ＥＦ（Element File）のＩＤ番号が２であることを示す。  
ＩＣカードは、レコードＥＦ＃１（レコードＥＦ＃１と記述する）の識別子から、レコードＥＦ＃１を検索する（Ｓ０７）。この検索の結果、検索対象のレコードＥＦ＃１が存在すれば（Ｓ０８のＹｅｓ）、ＩＣカードはレコードＥＦ＃１の中から、レコード＃１を検索する（Ｓ０９）。
【００６０】
この検索の結果、レコード＃１が存在すれば（Ｓ１０のＹｅｓ）、レコードＥＦ＃１のレコードデータ、ＳＷ（ＳＷ１、ＳＷ２の総称）（正常）を送信バッファにセットする。実施例では上述したようにＳＷには下記の値がセットされる。
【００６１】
ＳＷ１  ＳＷ２
９０    ００
なお、ステップＳ０８で検索対象のレコードＥＦ＃１が存在しない場合（Ｓ０８のＮｏ）及び当該検索対象レコード＃１が存在しない場合（Ｓ１０のＮｏ）、上記同様にステップＳ１４に移行し、命令処理に応じたＳＷ（異常）を送信バッファにセットし（Ｓ１４）、ステップＳ１５で当該ＳＷをＩＣカードリーダ・ライタ２０に送信する（Ｓ１５）。
【００６２】
連続実行制御カウンタを２減算する（Ｓ１２）。連続制御実行カウンタが０でなければ（Ｓ１３のＮｏ）、上述したステップＳ０６以降の処理を行う。ただし、検索対象に命令データ部からＥＦの識別子（ＥＦ＃２）とその内部のレコード番号対（レコード＃２）に関して上述したＥＦの識別子（ＥＦ＃１）の場合と同様の処理をステップＳ０６からステップＳ１２で行う。
【００６３】
上記処理終了後、ステップＳ１３において、連続制御カウンタが０になれば（Ｓ１３のＹｅｓ）、ＩＣカードリーダ・ライタ２０に応答メッセージを送信し、次の命令の受信待ち状態にする（Ｓ１５）。
【００６４】
なお、ステップＳ０２でＰ１＝００かつＰ２＝ＦＦでない場合は、ステップＳ１４に移行し、命令処理に応じたＳＷ（異常）を送信バッファにセットし（Ｓ１４）、ステップＳ１５で当該ＳＷをＩＣカードリーダ・ライタ２０に送信する。
【００６５】
図５は、ＩＣカード１０とＩＣカードリーダ・ライタとの通信処理を示すフローチャートである。ＩＣカードリーダ・ライタ２０からREAD RECORD 命令が送信される。この命令は、図２（１）に示す命令形式に従って送信される（２０ａ）。
【００６６】
ＩＣカード１０は、ＩＣカードリーダ・ライタから受信したREAD RECORD 命令を受信し（１０ａ）、図４に示すファイルアクセス処理フローチャートに従い、当該READ RECORD命令を実行する（１０ｂ）。
【００６７】
READ RECORD 命令処理（１０ｂ）の処理結果は、レスポンスとしてＩＣカード送信される（２０ｂ)。
【００６８】
なお、従来技術でこの方法を用いることができなかった理由を下記に示す。  
従来技術は、「現状では、１つの論理チャネル上にCurrent EFは、最大１つずつしか存在しえない。従って、レコードデータ読出命令でcurrent EFを対象にすると１つのファイルからレコード読み出しを実施する。」ので、従来技術では、「１つのREAD RECORD命令で、１つのファイルからしかレコードを読み出せない」ということになり、それを解決すべく上述した本実施例が考案された。
【００６９】
なお、上記Current EFとは、本実施例に記載のレコードＥＦに関し、選択中の操作可能なＥＦをいう。ここでは、レコードＥＦ内の1個のレコードデータ読み出し命令に付き1個のレコードデータを読み出すことができる。
【００７０】
以上説明したように、本実施例の偶数INS READ RECORD命令形式のData Field を使用することにより、１つの命令で異なる複数のEFから、そのEF内レコードを一括して読み出すことができる。この方法によれば、ＩＣカードが命令を解釈する回数が減り、ＩＣカードの全体の処理時間を短縮することができる。
【符号の説明】
【００７１】
１０  ＩＣカード
１０ａ  READ RECORD 命令受信処理
１０ｂ  ＩＣカード命令処理
１０ｃ  RERAD RECORD 命令処理結果送処理
２０  ＩＣカードリーダ・ライタ
２０ａ  READ RECOD 命令送信処理
【図１】
0005883295.tif 000002
【図２】
0005883295.tif 000003
【図３】
0005883295.tif 000004
【図４】
0005883295.tif 000005
【図５】
0005883295.tif 000006
【図６】
0005883295.tif 000007
【図７】
0005883295.tif 000008
【図８】
0005883295.tif 000009